(57)【特許請求の範囲】
【請求項１】
媒体に対して液体を吐出することで記録を行う記録ヘッドと、
少なくとも前記記録ヘッドを収容する筐体と、
前記筐体内を露出する開き位置と露出させない開じ位置との間で開閉可能な開閉部材と、
前記記録ヘッドに供給される前記液体を収容する液体収容室及び前記液体収容室内に外部から前記液体を注入可能とする注入口を有する液体収容体と、
弾性変形可能な弾性部材で構成され、前記注入口に接触することで前記注入口を閉塞する閉塞部材と、
前記注入口を露出させる開位置と露出させない閉位置との二位置間で開閉可能に設けられるカバーと、
前記開位置から前記閉位置に向かう方向に前記カバーを付勢する巻きばねと、を備え、
前記注入口は、前記液体収容室から延び、
前記カバーは、前記閉位置に位置する場合に前記注入口と対向する取付面と、前記取付面から突出する突出部とを有し、
前記閉塞部材は、前記カバーに対して着脱可能であって、前記突出部に挿入されることによって前記カバーに取り付けられ、前記カバーが前記閉位置に位置する場合に、前記注入口に挿入されることなく前記注入口の先端に押し当てられることによって前記注入口を閉塞し、前記カバーが前記開位置に位置する場合に、前記注入口から離れることによって前記注入口を開放することを特徴とする記録装置。
【請求項２】
前記液体収容体が複数設けられ、
前記カバーには、複数の前記液体収容体における前記注入口と対応する複数の前記閉塞部材が取り付けられていることを特徴とする請求項１に記載の記録装置。
【請求項３】
前記液体収容体が複数設けられ、
前記カバーには、複数の前記液体収容体における複数の前記注入口を閉塞可能な一つの閉塞部材が設けられていることを特徴とする請求項１に記載の記録装置。
【請求項４】
前記筐体は、少なくとも前記液体収容体の一部をさらに収容し、
前記カバーは、前記筐体に対して回動可能に設けられていることを特徴とする請求項１乃至請求項３のうち何れか一項に記載の記録装置。
【請求項５】
前記カバー及び前記筐体の何れか一方には、係合部が設けられ、他方には、前記係合部と係合可能な被係合部が設けられ、前記係合部は、前記カバーが閉位置にあるときに被係合部と係合することを特徴とする請求項４に記載の記録装置。
【請求項６】
前記筐体には、前記筐体内において前記記録ヘッドにより記録された前記媒体が前記筐体外へ排出される排出口が開口され、
前記液体収容体は、前記筐体内において前記排出口が設けられる側であって且つ前記筐体内の隅となる位置に配置されていることを特徴とする請求項４又は請求項５に記載の記録装置。
【請求項７】
前記筐体には、記録装置の操作を行うための操作部が設けられ、
前記液体収容体は、前記筐体内において前記操作部が設けられる側であって且つ前記筐体内の隅となる位置に配置されていることを特徴とする請求項４乃至請求項６のうち何れか一項に記載の記録装置。
【請求項８】
前記筐体は、前記液体収容体の前記液体収容室内に収容されている前記液体の液量を視認可能な視認部を備えることを特徴とする請求項４乃至請求項７のうち何れか一項に記載の記録装置。
【発明の詳細な説明】
【技術分野】
【０００１】
本発明は、例えばインクジェット式プリンターなどの記録装置に関する。
【背景技術】
【０００２】
従来から、媒体の一例である用紙に対して液体の一例であるインクを吐出することで記録を行う記録ヘッドを備えたインクジェット式のプリンター（記録装置）が知られている。そして、このようなプリンターのなかには、記録ヘッドに供給されるインクを収容するインクタンク（液体収容体）を備えるものがある。例えば、特許文献１には、インクタンクに設けられた液体注入口を介してインクタンク内にインクを注入することが可能なインクタンクを備えたプリンターが記載されている。
【先行技術文献】
【特許文献】
【０００３】
【特許文献１】特開２０１２−２０４９５号公報
【発明の概要】
【発明が解決しようとする課題】
【０００４】
ところで、特許文献１のプリンターが備えるインクタンクには、インクタンクに収容されるインクが液体注入口から漏れ出すことを抑制するために、液体注入口を閉塞するゴム製の栓部材（閉塞部材）が設けられている。また、液体注入口を閉塞する栓部材が、インクタンクの内圧の上昇や外部からの衝撃などによって不意に脱落してしまう虞を低減するために、栓部材が装着された液体注入口を覆うカバーを開閉可能に備える構成が一般的に知られている。しかし、液体注入口を閉塞する栓部材に加えて液体注入口を覆うカバーも備える構成においては、インクタンクにインクを注入する際に、カバーを開けたうえで液体注入口から栓部材を取り外す必要があるため、インクの注入に手間がかかるという問題があった。
【０００５】
本発明は、上記実情に鑑みてなされたものであり、その目的は、液体を収容する液体収容体に設けられる注入口を閉塞する閉塞部材及び注入口を覆うカバーを備えつつも手間がかかることなく液体収容体に液体を注入できる記録装置を提供することにある。
【課題を解決するための手段】
【０００６】
以下、上記課題を解決するための手段及びその作用効果について記載する。
上記課題を解決する記録装置は、媒体に対して液体を吐出することで記録を行う記録ヘッドと、少なくとも前記記録ヘッドを収容する筐体と、前記筐体内を露出する開き位置と露出させない閉じ位置との間で開閉可能な開閉部材と、前記記録ヘッドに供給される前記液体を収容する液体収容室及びその液体収容室内に外部から前記液体を注入可能とする注入口を有する液体収容体と、前記注入口に接触することで前記注入口を閉塞する閉塞部材と、前記注入口を露出させる開位置と露出させない閉位置との二位置間で開閉可能に設けられるカバーと、を備え、前記閉塞部材は、前記カバーに取り付けられている。
【０００７】
この構成によれば、液体収容体の注入口を覆うカバーの開閉動作に連動して、注入口を閉塞する閉塞部材の注入口に対する接触動作及び離間動作が行われる。すなわち、カバーを開けると、注入口から閉塞部材が離間するため、カバーを開ける動作だけで液体収容室内に液体を注入することが可能となる。したがって、液体を収容する液体収容体に設けられる注入口を閉塞する閉塞部材及び注入口を覆うカバーを備えつつも手間がかかることなく液体収容体に液体を注入できる。
【０００８】
上記記録装置において、前記閉塞部材は、前記カバーに対して着脱可能に取り付けられていることが好ましい。
この構成によれば、例えば閉塞部材が劣化した場合などに、その閉塞部材を適宜交換することができる。
【０００９】
上記記録装置において、前記閉塞部材は、弾性変形可能な弾性部材で構成されていることが好ましい。
この構成によれば、閉塞部材は、液体収容体の注入口に対して弾性変形を伴って接触できるため、シール機能が向上され、好適に注入口を閉塞できる。
【００１０】
上記記録装置においては、前記液体収容体が複数設けられ、前記カバーには、複数の前記液体収容体における前記注入口と対応する複数の前記閉塞部材が取り付けられていることが好ましい。
【００１１】
この構成によれば、カバーを開けることで、複数の注入口をそれぞれ閉塞している複数の閉塞部材を一度に注入口から離間させることができるため、複数の液体収容体に液体を注入する際の手間を低減できる。
【００１２】
上記記録装置においては、前記液体収容体が複数設けられ、前記カバーには、複数の前記液体収容体における複数の前記注入口を閉塞可能な一つの閉塞部材が設けられていることが好ましい。
【００１３】
この構成によれば、カバーを開けることで、複数の注入口を一括して閉塞している一つの閉塞部材を全ての注入口から同時に離間させることができるため、複数の液体収容体に液体を注入する際の手間を低減できる。
【００１４】
上記記録装置において、前記筐体は、少なくとも前記液体収容体の一部をさらに収容し、前記カバーは、前記筐体に対して回動可能に設けられていることが好ましい。
この構成によれば、例えばスライドさせることでカバーを開閉するような構成と比較して、容易にカバーを開閉させることができる。
【００１５】
上記記録装置において、前記カバー及び前記筐体の何れか一方には、係合部が設けられ、他方には、前記係合部と係合可能な被係合部が設けられ、前記係合部は、前記カバーが閉位置にあるときに被係合部と係合することが好ましい。
【００１６】
この構成によれば、係合部が被係合部に係合することで、衝撃や振動等により容易にカバーが開いてしまう虞を低減できる。
上記記録装置において、前記筐体には、前記筐体内において前記記録ヘッドにより記録された前記媒体が前記筐体外へ排出される排出口が開口され、前記液体収容体は、前記筐体内において前記排出口が設けられる側であって且つ前記筐体内の隅となる位置に配置されていることが好ましい。
【００１７】
この構成によれば、筐体内のスペースを有効に活用でき、筐体内に配置される液体収容体に液体を注入し易い構成とすることができる。
上記記録装置において、前記筐体には、記録装置の操作を行うための操作部が設けられ、前記液体収容体は、前記筐体内において前記操作部が設けられる側であって且つ前記筐体内の隅となる位置に配置されていることが好ましい。
【００１８】
この構成によれば、筐体内のスペースを有効に活用でき、筐体内に配置される液体収容体に液体を注入し易い構成とすることができる。
上記記録装置において、前記筐体は、前記液体収容体の前記液体収容室内に収容されている前記液体の液量を視認可能な視認部を備えることが好ましい。
【００１９】
この構成によれば、視認部により液体収容室内に収容されている液体の残量を確認できるため、適切なタイミングで液体収容体に液体を注入することができる。
【図面の簡単な説明】
【００２０】
【図１】複合機の一実施形態を示す斜視図。
【図２】読取装置が開き位置に位置する状態の複合機を示す斜視図。
【図３】読取装置が開き位置に位置する状態の複合機を一部破断して示す側面図。
【図４】カバーを示す斜視図。
【図５】複数の閉塞部材のうち一の閉塞部材を取り外した状態のカバーを示す斜視図。
【図６】カバーの軸を示す図２の一部拡大図。
【図７】カバーの係合部を示す図２の一部拡大図。
【図８】読取装置が閉じ位置に位置する状態の複合機を一部破断して示す側面図。
【図９】読取装置が開き位置に位置した状態でカバーが開位置に位置するときの複合機を示す斜視図。
【図１０】読取装置が開き位置に位置した状態でカバーが開位置に位置するときの複合機を一部破断して示す側面図。
【図１１】カバーの変形例を示す図。
【図１２】カバーの変形例を示す図。
【図１３】カバーの変形例を示す図。
【図１４】閉塞部材の変形例を示す図。
【図１５】カバーの変形例を示す図。
【図１６】複合機の変形例を示す図。
【発明を実施するための形態】
【００２１】
以下、記録装置の一種であるインクジェット式プリンターを備える複合機について図を参照して説明する。
図１に示すように、複合機１１は、媒体の一例である用紙Ｐに記録を行う記録装置１２と、画像の読み取りを行う読取装置１３とを備えている。記録装置１２は、複合機１１の操作を行うための操作部１４が一面に設けられた直方体状のケース（筐体）１５を備え、鉛直方向Ｚにおいてこのケース１５の上方に、読取装置１３が配置されている。また、複合機１１において操作部１４が設けられた側である前面側とは反対側となる複合機１１の背面側にはヒンジ部１６が設けられ、このヒンジ部１６を介して、記録装置１２及び読取装置１３は、互いに連結されている。なお、操作部１４は、記録装置１２の記録動作や、読取装置１３の読取動作など、各種動作を複合機１１に行わせるために、例えば電源ボタン、操作ボタンなどを備える。
【００２２】
操作部１４が設けられるケース１５の前面であって、操作部１４の下方には、記録装置１２により記録が行われた用紙Ｐが排出される排出口１７が開口している。さらに、排出口１７の下方には、記録装置１２の前方に向けて引き出し可能な排出トレイ１８が設けられている。一方、ケース１５の背面には、ケース１５内に用紙Ｐを給送するための給送口が設けられている（不図示）。この給送口からケース１５内に給送された用紙Ｐは、ケース１５内で記録が行われた後、排出口１７から排出され、排出トレイ１８に載置される。すなわち、記録装置１２の背面から前面に向かう方向が、用紙Ｐの搬送方向Ｙとなっている。
【００２３】
ケース１５の前面であって、排出口１７と隣り合う位置（図１において右側）には、ガラスやプラスチック等の透明な材料によりケース１５の外装の一部を構成することでケース１５内の一部を視認可能とする視認部１９が設けられている。そして、この視認部１９により外部から視認可能となる位置、すなわちケース１５内であって、記録装置１２の前面寄り且つ端部寄り（図１において右端）となる位置には、液体の一例であるインクを収容する液体収容体３０が設けられている。この液体収容体３０は、記録装置１２の長手方向（図１において左右方向）に沿って複数並んで設けられている（本実施形態においては二つ）。すなわち、液体収容体３０はケース１５に収容されている。具体的には、ケース１５内において、操作部１４及び排出口１７が設けられる側であるケース１５の前面側であって、且つ直方体状をなすケース１５の隅となる位置に液体収容体３０が配置されている。
【００２４】
液体収容体３０は、箱形状を有する容器であって、記録装置１２が用紙Ｐに対して記録を行う際に用いるインクを収容する所謂インクタンクとして構成されている。また、液体収容体３０は、透明もしくは半透明の樹脂で形成され、収容するインクの残量を確認可能に構成されている。そして、ケース１５内において視認部１９と対向する液体収容体３０の前面には、液体収容体３０が収容可能なインクの上限量を示す上限目盛３１が形成されている。複合機１１において、この上限目盛３１は、視認部１９を介してケース１５の外側から視認可能となっている。
【００２５】
図２に示すように、読取装置１３は、記録装置１２に対してヒンジ部１６を支点に回動可能に設けられ、ケース１５内（すなわち記録装置１２内部）を露出する開き位置と、ケース１５内を露出しない閉じ位置との二位置間で開閉可能に構成されている。つまり、読取装置１３は、ケース１５に対して開閉する開閉部材として機能する。そして、複合機１１の前面側であって、複合機１１の長手方向において液体収容体３０が配置されている側とは反対側の端部寄り（図１において左側）となる位置には、記録装置１２に対して読取装置１３を支持するリンク部２０が、記録装置１２と読取装置１３との間に設けられている。このリンク部２０により、開き位置に位置する読取装置１３は、記録装置１２に対して傾斜した姿勢が維持されている。本実施形態における複合機１１においては、読取装置１３を持ち上げることに連動してリンク部２０が立ち上がる。
【００２６】
ケース１５内には、用紙Ｐに対して記録を行う記録部４０が設けられている。記録部４０は、用紙Ｐの搬送方向Ｙと交差する走査方向Ｘに沿って延びるガイド軸４１に沿って往復移動可能に設けられるキャリッジ４２と、キャリッジ４２の下面に取り付けられ、キャリッジ４２に対向する用紙Ｐに対してインクを吐出する記録ヘッド４３とを含んで構成されている。すなわち、記録装置１２は、キャリッジ４２が走査方向Ｘに沿って移動し、記録ヘッド４３がインクを吐出することで、搬送される用紙Ｐに対して文字や画像等の記録を行う。なお、搬送方向Ｙと交差する走査方向Ｘは、複合機１１の長手方向と一致する。
【００２７】
また、記録部４０には、インクが流れる供給チューブ３２が接続されている。ケース１５内を延びる供給チューブ３２は、その一端が記録部４０に接続される一方で、その他端が液体収容体３０に接続されている。すなわち、記録部４０と液体収容体３０は、供給チューブ３２を介して接続され、この供給チューブ３２により、液体収容体３０に収容されているインクが、記録部４０に供給される。なお、供給チューブ３２は、液体収容体３０に対してそれぞれ一本ずつ接続されているが、図の簡略化のために一本のみを図示している。
【００２８】
図２及び図３に示すように、ケース１５内に配置される液体収容体３０は、インクを収容する液体収容室３３と、鉛直方向Ｚにおいて液体収容室３３から上方に延びる注入口３４とを備えている。注入口３４は、液体収容体３０の上部に開口して液体収容体３０の外部と内部（＝液体収容室３３）とを連通している。すなわち、液体収容体３０は、この注入口３４を介して、液体収容室３３内にインクを注入可能な構成となっている。なお、液体収容体３０は、注入口３４が記録装置１２のケース１５から露出可能な位置に設けられている。そして、液体収容室３３内には、板状のリブ部材３５が複数設けられている。このリブ部材３５により、液体収容室３３内に収容されるインクが供給チューブ３２を介して記録部４０に供給される際、リブ部材３５に沿ってインクが流れることでインクが撹拌され、液体収容室３３内におけるインクの滞留が抑制される。
【００２９】
液体収容体３０の上方であって、注入口３４と対向する位置には、注入口３４を上方から覆うカバー５０が設けられている。このカバー５０は、記録装置１２を上面視した際に、液体収容体３０の注入口３４が露出する開位置（図１０参照）と、注入口３４が露出しない閉位置（図２及び図３参照）との二位置間で開閉可能に設けられている。
【００３０】
カバー５０は、閉位置に位置する状態においてケース１５の前面と面一になって記録装置１２の外装の一部を構成する外装面５１を有している。そして、そのカバー５０が閉位置に位置する状態において注入口３４と対向するカバー５０の一面には、注入口３４に対して接触することで注入口３４を閉塞する閉塞部材５２が取り付けられている。すなわち、図３において注入口３４と対向しているカバー５０の一面は、閉塞部材５２が取り付けられる取付面５３となっている。閉塞部材５２は、この取付面５３から下方に向けて突出する突出部５４に取り付けられている。すなわち、カバー５０が閉位置に位置する状態において、閉塞部材５２は、カバー５０と注入口３４とに挟まれるよう位置している。
【００３１】
図２、図４及び図５に示すように、カバー５０は、外装面５１と反対側となる背面側が開口した箱形状をしている。そして、カバー５０の取付面５３に取り付けられる閉塞部材５２は、ケース１５に収容される液体収容体３０の数に応じて複数（本実施形態では二つ）設けられている。すなわち、閉塞部材５２は、液体収容体３０が有する注入口３４の数に対応してカバー５０に複数設けられ、一の閉塞部材５２が一の注入口３４をそれぞれ閉塞する構成である。また、閉塞部材５２が複数設けられることに伴い、取付面５３から突出する突出部５４もまた複数設けられている（本実施形態においては二つ）。この突出部５４は、円筒形状を有している。
【００３２】
そして、突出部５４にそれぞれ取り付けられる閉塞部材５２は、略半球形状となるドーム形状をなし、弾性変形可能な弾性部材（例えば、ゴム等のエラストマー）で構成されている（図３参照）。また、閉塞部材５２は、突出部５４に対して着脱可能に設けられている。
【００３３】
カバー５０において、閉塞部材５２が取り付けられる取付面５３とは反対側となる面には、ユーザーが指を掛けるための指掛部５５が切り欠き形成されている。すなわち、カバー５０において指掛部５５が形成される面は、指掛形成面５６となっていて、この指掛形成面５６において走査方向Ｘの中央且つカバー５０の開口寄りとなる位置に指掛部５５が形成されている。また、指掛形成面５６は、指掛部５５から外装面５１側に向かって傾斜する傾斜面を含んでいる。
【００３４】
図４及び図５に示すように、走査方向Ｘにおいて、指掛部５５を挟んだカバー５０の両端には、カバー５０から走査方向Ｘの一方側及び他方側に向かってそれぞれ突出する係合部５７が形成されている。この係合部５７は、走査方向Ｘにおいて指掛形成面５６を挟んだカバー５０の両側面において、カバー５０の外装面５１とは反対側で且つ指掛形成面５６寄りとなる位置から突出している。
【００３５】
そして、同じくカバー５０の両側面において、係合部５７と対角をなす位置、すなわちカバー５０の外装面５１寄りで且つ取付面５３寄りとなる位置には、走査方向Ｘに沿って延びる円柱状の軸５８が形成されている。
【００３６】
図２及び図６に示すように、ケース１５において、カバー５０が有する軸５８に対応する位置、すなわち記録装置１２の前面寄り且つ端部寄り（図２において右端）となる位置には、ケース１５を貫通する円形状の孔が、軸５８の軸受２１として形成されている。この軸受２１は、軸５８を回転可能に支持することで、軸５８を中心にカバー５０をケース１５に対して回動可能に支持している。すなわち、カバー５０が複合機１１の前方に向けて回動することで、カバー５０は閉位置から開位置に変位する（図９及び図１０参照）。また、カバー５０の軸５８には巻きばね５９が設けられていて、この巻きばね５９によりカバー５０は、常に開位置から閉位置に向かう方向に付勢されている。
【００３７】
図２及び図７に示すように、ケース１５において、カバー５０が有する係合部５７に対応する位置、すなわち記録装置１２の前面寄り且つ端部寄り（図２において右端）となる位置には、ケース１５からカバー５０側に向かって延びるように被係合部２２が形成されている。カバー５０が閉位置に位置する状態において、この被係合部２２は、カバー５０が有する係合部５７と鉛直方向Ｚにおいて係合している。すなわち、係合部５７が被係合部２２に対して係合することで、閉位置に位置するカバー５０は、開位置への変位が規制されている。
【００３８】
次に、上記のように構成された複合機１１について、特に記録装置１２が備える液体収容体３０の注入口３４を覆うカバー５０の作用について説明する。
図８に示すように、複合機１１は、記録装置１２における紙ジャムの解消やメンテナンス等でケース１５内にアクセス可能とされる必要があるため、読取装置１３がヒンジ部１６により記録装置１２に対して回動可能とされている。そのため、記録装置１２内部にアクセスする必要がない場合、読取装置１３は閉じ位置に位置する。このとき、閉じ位置に位置する読取装置１３は、液体収容体３０の注入口３４を覆うように閉位置に位置するカバー５０の指掛形成面５６に上方から接触し、カバー５０を鉛直方向Ｚの下方に押圧する。カバー５０が下方に押圧されることに伴い、カバー５０の取付面５３に取り付けられた閉塞部材５２もまた下方に押圧される。すなわち、閉じ位置に位置する読取装置１３は、カバー５０を介して、カバー５０に設けられた閉塞部材５２を注入口３４に対して押圧する。
【００３９】
閉塞部材５２は、弾性変形可能な弾性部材で構成されているため、注入口３４に向けて押圧されることで注入口３４に密着し、注入口３４に対するシール機能が向上したうえで注入口３４を閉塞する。また、図６に示すように、カバー５０は、軸５８に設けられた巻きばね５９により、閉塞部材５２を注入口３４に向かって押圧するように付勢されているため、より閉塞部材５２の注入口３４に対するシール機能が向上する。さらに、図７に示すように、閉位置に位置するカバー５０は、係合部５７が被係合部２２に対して係合しているため、たとえ読取装置１３が開き位置に位置する状態であったとしても、外部からの衝撃等によってカバー５０が不意に閉位置から開位置に変位してしまう虞が抑制されている。すなわち、閉塞部材５２による注入口３４の閉塞状態が維持される。閉塞部材５２が注入口３４を閉塞することで、液体収容体３０の液体収容室３３内に収容されるインクの乾燥や、注入口３４からのインクの漏れ、液体収容室３３への塵埃の混入等が抑制される。
【００４０】
図３に示すように、記録装置１２の紙ジャム解消やメンテナンス等を行うために、ケース１５内にアクセスする必要が生じた際には、閉じ位置に位置する読取装置１３を開き位置に変位させ、ケース１５内を露出させる。なお、液体収容体３０にインクを注入する場合も同様に読取装置１３を開き位置に変位させる。
【００４１】
図９及び図１０に示すように、液体収容体３０の液体収容室３３にインクを注入する際には、読取装置１３を開き位置に位置させたうえで、閉位置に位置するカバー５０を開位置に変位させる。カバー５０を開位置に変位させる際には、指掛部５５に指を掛け、記録装置１２の前方に向かって引くことで、カバー５０は軸５８（軸受２１）を中心に回動し、液体収容体３０の注入口３４が露出する。なお、閉位置に位置するカバー５０は、係合部５７が被係合部２２と係合しているが、所定以上の力でカバー５０を前方に引くと、係合部５７が被係合部２２を乗り上げ、係合部５７と被係合部２２とによる係合状態が解除される。
【００４２】
このとき、カバー５０が開位置に変位することに伴い、注入口３４に接触していた閉塞部材５２が注入口３４から離間し、注入口３４が開放される。すなわち、カバー５０を開ける動作一つで、液体収容体３０の注入口３４を覆うカバー５０と、注入口３４を閉塞する閉塞部材５２とが共に注入口３４から離間し、注入口３４が開放され、液体収容室３３内にインクを注入可能となる。
【００４３】
そして、液体収容体３０へのインクの注入が完了した際には、インクの乾燥や空気中の塵埃が注入口３４を介して液体収容室３３内のインクに混入することを抑制するため、注入口３４を閉塞部材５２で閉塞し、閉塞された注入口３４をカバー５０で覆うことが好ましい。注入口３４を閉塞可能な閉塞部材５２は、カバー５０に取り付けられているため、注入口３４を閉塞するために閉塞部材５２を接触させようとすると、これに連動してカバー５０が開位置から閉位置に変位する。すなわち、カバー５０を閉じる動作一つで、カバー５０が注入口３４を覆うとともに閉塞部材５２が注入口３４に接触し、注入口３４が閉塞される。したがって、複合機１１が備える記録装置１２は、液体収容体３０の注入口３４を覆うカバー５０の開閉動作に連動して、閉塞部材５２による注入口３４の開放及び閉塞が行われる。
【００４４】
上記実施形態によれば、以下のような効果を得ることができる。
（１）液体収容体３０の注入口３４を覆うカバー５０の開閉動作に連動して、注入口３４を閉塞する閉塞部材５２の注入口３４に対する接触動作及び離間動作が行われる。すなわち、カバー５０を開けると、注入口３４から閉塞部材５２が離間するため、カバー５０を開ける動作だけで液体収容室３３内にインクを注入することが可能となる。したがって、液体を収容する液体収容体３０に設けられる注入口３４を閉塞する閉塞部材５２及び注入口３４を覆うカバー５０を備えつつも手間がかかることなく液体収容体３０に液体を注入できる。
【００４５】
（２）カバー５０の取付面５３に取り付けられる閉塞部材５２は着脱可能であるため、例えば閉塞部材５２が劣化した場合などに、その閉塞部材５２を適宜交換することができる。
【００４６】
（３）閉塞部材５２は、液体収容体３０の注入口３４に対して弾性変形を伴って接触できるため、シール機能が向上され、好適に注入口３４を閉塞できる。
（４）カバー５０を開けることで、複数の注入口３４をそれぞれ閉塞している複数の閉塞部材５２を一度に注入口３４から離間させることができるため、複数の液体収容体３０に液体を注入する際の手間を低減できる。
【００４７】
（５）軸５８を中心に回動することで開閉動作を行うカバー５０は、例えばスライドさせることで開閉するような構成と比較して、容易にカバー５０を開閉させることができる。
【００４８】
（６）係合部５７が被係合部２２に係合することで、衝撃や振動等により容易にカバー５０が開いてしまう虞を低減できる。
（７）視認部１９により液体収容室３３内に収容されているインクの残量を確認できるため、適切なタイミングで液体収容体３０にインクを注入することができる。
【００４９】
（８）巻きばね５９により、注入口３４に対する閉塞部材５２のシール機能をより向上させることができる。
（９）液体収容体３０に形成された上限目盛３１によって、液体収容室３３が収容可能なインクの上限を確認できる。そのため、注入口３４を介して液体収容室３３にインクを注入する際に、インクの入れ過ぎによって注入口３４からインクが溢れ出すことを抑制できる。
【００５０】
（１０）直方体状をなすケース１５内において、液体収容体３０が、ケース１５の前面側且つ走査方向Ｘにおいて端部（図１においては右端）となる隅に配置されることで、ケース１５内のスペースを有効に活用でき、また液体収容体３０にインクを注入し易い構成とすることができる。
【００５１】
なお、上記実施形態は以下のように変更してもよい。
・図１１に示すように、上記実施形態において、カバー５０は、閉塞部材５２を注入口３４に接触させる閉位置から軸５８を中心に記録装置１２の背面に向けて回動させることで開閉可能な構成でもよい。
【００５２】
・図１２に示すように、上記実施形態において、カバー５０は、ケース１５において鉛直方向Ｚに長尺に設けられた軸受２１に沿って上下にスライドさせることで開位置と閉位置の二位置間を変位可能な構成でもよい。
【００５３】
・図１３に示すように、上記実施形態において、液体収容体３０が有する注入口３４は、記録装置１２の斜め前方に延びる構成でもよい。また、カバー５０は、板形状を有するものであってもよく、特定の形状を有するカバー５０に限定されない。
【００５４】
・図１４に示すように、上記実施形態において、カバー５０に取り付けられる閉塞部材５２は、複数の注入口３４を閉塞可能な一の閉塞部材５２で構成されていてもよい。例えば、閉塞部材５２を走査方向Ｘにおいて長尺に設けることで一の閉塞部材５２で複数の注入口３４を閉塞できる。この構成によれば、カバー５０を開けることで、複数の注入口３４を一括して閉塞している一つの閉塞部材５２を全ての注入口から同時に離間させることができるため、複数の液体収容体３０にインクを注入する際の手間を低減できる。
【００５５】
・図１５に示すように、上記実施形態において、液体収容体３０の数に応じて、カバー５０が複数設けられていてもよい。一のカバー５０に対して一の閉塞部材５２が取り付けられる構成とすることでインクの注入が必要な液体収容体３０の注入口３４だけを開放することができ、その他のインクの注入が不要な液体収容体３０に収容されるインクの乾燥や塵埃の混入などを抑制できる。
【００５６】
・図１６に示すように、上記実施形態において、液体収容体３０は、記録装置１２とは別途設けられる液体収容体保持部７０に収容される構成であってもよい。液体収容体保持部７０に収容される液体収容体３０は、記録装置１２の内外を貫く供給チューブ３２が接続されている。
【００５７】
・上記実施形態において、閉塞部材５２は、注入口３４に対して挿入されることで閉塞するような栓部材であってもよい。
・上記実施形態において、カバー５０は、ケース１５に対して着脱されることで開位置と閉位置との二位置間を変位可能な構成であってもよい。
【００５８】
・上記実施形態において、ケース１５に軸５８、カバー５０に軸受２１を形成することでカバー５０が回動可能に設けられる構成であってもよい。
・上記実施形態において、記録装置１２が備える液体収容体３０は、二つに限らず、一つだけ設ける構成であっても、三つ以上設ける構成であってもよい。また、カバー５０が備える閉塞部材５２の数も二つに限らず、一つだけであっても、三つ以上であってもよい。
【００５９】
・上記実施形態において、液体収容体３０は、樹脂製でなくともよい。少なくとも、液体収容体３０の液体収容室３３に収容されるインクの液量を視認可能な材料で形成されていれば、視認部１９を介してインクの液量を確認できる。
【００６０】
・上記実施形態において、ケース１５内を露出可能に開閉する開閉部材は、画像を読み取り可能な読取装置１３に限らず、単なる蓋部材であってもよい。
・上記実施形態において、液体収容体３０は、その一部がケース１５に収容される構成であってもよい。
【００６１】
・上記実施形態において、記録部４０は、用紙Ｐに対して走査方向Ｘに移動するシリアルヘッド方式に限らず、走査方向Ｘにおいて長尺に設けられるラインヘッド方式でもよい。
【００６２】
・上記実施形態において、記録装置１２は、インク以外の他の流体（液体や、機能材料の粒子が液体に分散又は混合されてなる液状体、ゲルのような流状体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体などが含まれる。
【符号の説明】
【００６３】
１１…複合機、１２…記録装置、１３…読取装置（開閉部材）、１４…操作部、１５…ケース（筐体）、１６…ヒンジ部、１７…排出口、１９…視認部、２０…リンク部、２２…被係合部、３０…液体収容体、３３…液体収容室、３４…注入口、３５…リブ部材、４３…記録ヘッド、５０…カバー、５１…外装面、５２…閉塞部材、５３…取付面、５４…突起部、５６…指掛形成面、５７…係合部、７０…液体収容体保持部、Ｐ…用紙（媒体）、Ｘ…走査方向、Ｙ…搬送方向、Ｚ…鉛直方向。
【図１】
0006657670.tif 000002
【図２】
0006657670.tif 000003
【図３】
0006657670.tif 000004
【図４】
0006657670.tif 000005
【図５】
0006657670.tif 000006
【図６】
0006657670.tif 000007
【図７】
0006657670.tif 000008
【図８】
0006657670.tif 000009
【図９】
0006657670.tif 000010
【図１０】
0006657670.tif 000011
【図１１】
0006657670.tif 000012
【図１２】
0006657670.tif 000013
【図１３】
0006657670.tif 000014
【図１４】
0006657670.tif 000015
【図１５】
0006657670.tif 000016
【図１６】
0006657670.tif 000017